(57)【要約】      （修正有）【課題】通常は収納して無駄なスペ−スを解消し、必要に応じて天板のスペ−スを広げうるようにした拡張テーブルを提供する。【解決手段】天板２と同天板の幅方向両端下部に連結した両脚部３ａ，３ｂと天板下部に収納した収納ボックス４とからなる。天板の下面に天板の幅Ｌ以内の長さの補助天板５を設けてなり、補助天板は一端を天板幅の何れかの端側へ回転軸にて枢着し、その他端を収納ボックス上の固定軸にて枢着・支持し、補助天板を回転させて両天板にて天板面積を拡張させるようにした。【選択図】図１
0003154227.tif 000002
【実用新案登録請求の範囲】
【請求項１】
天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を天板幅の何れかの端側へ回転軸にて枢着し、前記補助天板の他端を前記収納ボックス上の固定軸にて枢着・支持し、前記補助天板を回転させて両天板にて天板面積を拡張させるようにしたことを特徴とする拡張テーブル。
【請求項２】
天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を天板幅の何れかの端側へ回転軸にて枢着し、前記補助天板の他端を該補助天板の脚部で支持しうるようにして、前記補助天板を回転させ、両天板にて天板面積を拡張させるようにしたことを特徴とする拡張テーブル。
【請求項３】
前記補助天板の回転軸が、天板下面の軸穴内に枢着され、前記補助天板の一端は、円弧状にして、回転に支障のないようにされ、前記収納ボックス上の固定軸が前記補助天板下面の軸穴内に枢着しており、前記収納ボックスの下端には、車輪が設置されている請求項１記載の拡張テーブル。
【請求項４】
前記補助天板の回転軸が、天板下面の軸穴内に枢着され、前記補助天板の一端は、円弧状にして、回転に支障のないようにされ、前記収納ボックスの下端と補助天板の脚部には車輪が設置されている請求項２記載の拡張テーブル。
【考案の詳細な説明】
【技術分野】
【０００１】
本考案は、拡張テーブルに係るものであり、更に詳しくは、天板のスペ−スが広くなるようにした拡張テーブルに関するものである。
【背景技術】
【０００２】
学童机や学生・大人用のデスクを使用する場合、パソコンや各種の物品をテーブル上に置いて、使い勝手を良くしたいという要望がある。しかし、天板の決められた面積以上には、増やすことができないという問題がある。
【０００３】
天板を回転させて引き出すことのできるテーブルとしては、例えば特許文献１、特許文献２、特許文献３に記載された先行技術がある。特許文献１に記載されたものは、垂下状態にある天板を、上部の一端に回転させて広げるようにしたものである。特許文献２に記載されたものは、テーブルの天板を水平方向に回動させて、最適な作業状態が得られるようにしたものである。特許文献３に記載されたものは、メインテーブルに格納したサブテーブルを、回動自在に組み付けた複合テーブルに関するものである。
【特許文献１】実登第３０１８０８９号
【特許文献２】特開２００１−２３８７３４号公報
【特許文献３】特開２００８−７３２４０号公報
【０００４】
また  本出願人が先に出願したものとしては、特許文献４に記載されたものがある。これは、左右のカウンタ−の天板を回転させて、一直線状に配置して棚としたり、手前に合わせて配置しテーブルとして使用するようにしたものである。
【特許文献４】実登第３１４７４２２号公報
【０００５】
しかし何れも、天板を決められた面積以上に増やすことのできるものではなく、しかも必要のない場合には、収納して無駄なスペ−スを解消するというものではなかった。
【考案の開示】
【考案が解決しようとする課題】
【０００６】
上記の事情に鑑み本考案は、通常は収納して無駄なスペ−スを解消し、必要に応じて天板のスペ−スを広げうるようにした拡張テーブルの提供を課題とする。
【課題を解決するための手段】
【０００７】
本考案は上記目的を達成するために、天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を天板幅の何れかの端側へ回転軸にて枢着し、前記補助天板の他端を前記収納ボックス上の固定軸にて枢着・支持し、前記補助天板を回転させて両天板にて天板面積を拡張させるようにした拡張テーブルを構成するものである。
【０００８】
また本考案は上記目的を達成するために、天板と該天板の幅方向両端下部に連結した両脚部と前記天板下部に収納した収納ボックスとからなる拡張テーブルにおいて、前記天板の下面に該天板の幅以内の長さを有する補助天板を設けてなり、該補助天板は一端を天板幅の何れかの端側へ回転軸にて枢着し、前記補助天板の他端を該補助天板の脚部で支持しうるようにして、前記補助天板を回転させ、両天板にて天板面積を拡張させるようにした拡張テーブルを構成するものである。
【考案の効果】
【０００９】
本考案の拡張テーブルは、物を置いたりして、スペースを広く使いたい場合に、天板の面積を容易に広げることができる。
【００１０】
本考案の拡張テーブルは、スペースを狭めたい場合には、補助天板を天板の下面に収納することができる。
【００１１】
本考案の拡張テーブルは、使い勝手の良い方向に、補助天板の向きを変えることができる。
【考案を実施するための最良の形態】
【００１２】
以下、本考案の実施例を図面に基づいて詳しく説明する。
【実施例１】
【００１３】
図１は、本考案の一実施例を示す拡張テーブルで、（イ）は閉じた状態を示す斜視図、（ロ）は拡張した状態を示す斜視図である。図２は、同テーブルを上から見たもので、（イ）は閉じた状態を示す平面図、（ロ）は拡張した状態を示す平面図である。図３は、本実施例の拡張テーブルに使用される収納ボックスの正面図である。
【００１４】
本実施例の拡張テーブル１は、天板２と同天板の幅方向両端下部に連結した両脚部３ａ，３ｂと天板下部に収納した収納ボックス４とからなっている。そして天板２の下面には、天板の幅Ｌ以内の長さの補助天板５を設けている。
【００１５】
この補助天板５は、一端を天板幅Ｌ方向の何れかの端側、本実施例の場合は右端側で、回転軸５１に枢着している。具体的には、補助天板５の回転軸５１が、天板２下面の軸穴２２内に枢着している。そのため、補助天板５の一端は、円弧状５４にして、回転に支障のないようにしている。そして、補助天板５の他端は、収納ボックス４上の固定軸４１に枢着している。具体的には、収納ボックス４上の固定軸４１が、補助天板５下面の軸穴５２内に枢着している。
【００１６】
収納ボックス４の下端には、車輪４５が設置されているので回転し、補助天板５の他端を支持させることができる。このようにして、天板２の他に、手前に引き出した補助天板５とよって、天板面積を必要に応じて拡張させることができる。
【実施例２】
【００１７】
図４は、本考案の他の実施例を示す拡張テーブルで、（イ）は閉じた状態を示す斜視図（ロ）は拡張した状態を示す斜視図である。図５は、同テーブルを上から見たもので、（イ）は閉じた状態を示す平面図、（ロ）は拡張した状態を示す平面図である。図６は、本実施例の拡張テーブルに使用される収納ボックスの正面図である。
【００１８】
本実施例の拡張テーブル１０１は、天板１０２と同天板の幅方向両端下部に連結した両脚部１０３ａ，１０３ｂと天板下部に収納した収納ボックス１０４とからなっている。そして天板１０２の下面には、天板の幅Ｌ´以内の長さの補助天板１０５を設けている。
【００１９】
この補助天板１０５は、一端を天板幅Ｌ´方向の何れかの端側、本実施例の場合は左端側で、回転軸１５１に枢着している。具体的には、補助天板１０５の回転軸１５１が、天板１０２下面の軸穴１２２内に枢着している。そのため、補助天板１０５の一端は、円弧状１５４にして、回転に支障のないようにしている。そして、本実施例の補助天板１０５は、他端の下部に脚部１５３を有するので、この脚部１５３で補助天板１０５の他端を支持することになる。また、収納ボックス１０４の下端と補助天板１０５の脚部１５３には車輪１４５が設置されている  
【００２０】
このようにして、天板１０２の他に、手前に引き出した補助天板１０５によって、天板面積を必要に応じて拡張させることができる。また収納ボックス１０４は、使いやすい任意の位置の向きに置けば良い。
【産業上の利用可能性】
【００２１】
本考案の拡張テーブルは、スペースを必要に応じて広くすることができるため、学童机や学生・大人用のデスクに、事務機器の殖える今日、広く使用することのできるものである。
【図面の簡単な説明】
【００２２】
【図１】本考案の一実施例を示す拡張テーブルで、（イ）は閉じた状態を示す斜視図、（ロ）は拡張した状態を示す斜視図である。
【図２】図１のテーブルを上から見たもので、（イ）は閉じた状態を示す平面図、（ロ）は拡張した状態を示す平面図である。
【図３】本実施例の拡張テーブルに使用される収納ボックスの正面図である。
【図４】本考案の他の実施例を示す拡張テーブルで、（イ）は閉じた状態を示す斜視図、（ロ）は拡張した状態を示す斜視図である。
【図５】図４のテーブルを上から見たもので、（イ）は閉じた状態を示す平面図、（ロ）は拡張した状態を示す平面図である。
【図６】この実施例の拡張テーブルに使用される収納ボックスの正面図である。
【符号の説明】
【００２３】
１，１０１          拡張テーブル  
２，１０２          天板
３ａ，３ｂ          脚部
１０３ａ，１０３ｂ  脚部
４，１０４          収納ボックス
５，１０５          補助天板
４１                固定軸
５１，１５１        回転軸
２２，５２          軸穴
１５３              脚部
５４，１５４        円弧状
４５                車輪
Ｌ，Ｌ´            天板の幅
【図１】
0003154227.tif 000003
【図２】
0003154227.tif 000004
【図３】
0003154227.tif 000005
【図４】
0003154227.tif 000006
【図５】
0003154227.tif 000007
【図６】
0003154227.tif 000008